【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】  
容器カートリッジ入りフィルタ（２４）で好適に使用されるフィルタカートリッジ（３２、３０２）において、前記容器カートリッジ入りフィルタは、第１方向の回転によってフィルタヘッド（２２）に対して動作可能に装着され、反対の第２方向の回転によって前記フィルタヘッドから取り外され、前記容器カートリッジ入りフィルタは、フィルタ容器（３０、６３０、３０４）と、前記フィルタ容器に対する選択的な取り付けと取り外しのためのフィルタカートリッジ（３２、３０２）を含み、前記フィルタカートリッジは、    (ａ)  濾過媒体の延設部（４８、３０５）であって、前記延設部は、第１端部（８２）と反対の第２端部（８４）を有し、
(ｂ)  前記濾過媒体の前記延設部の前記第１端部に固定される第１端部キャップ（５０、３０６）と、
(ｃ)   前記濾過媒体の前記延設部の前記第２端部に固定される第２端部キャップ（５２、２００、５５２、３０８）であって、前記第２端部キャップは外側の周辺壁部（１３０、５３０、３１８）を含み、
（ｉ）前記第２端部キャップの前記外側の周辺壁部は、前記容器に好適に使用するために係合するフィルタカートリッジ連動装置（１００）を含み、前記フィルタカートリッジが前記フィルタ容器に取り付けられ、前記フィルタヘッドから前記容器カートリッジ入りフィルタを取り外すときに、前記フィルタ容器が前記第２方向に回転され、
（ｉｉ）前記外側の周辺壁部と前記フィルタカートリッジ連動装置は、前記濾過媒体を取り囲むことを特徴とする容器カートリッジ入りフィルタで使用されるフィルタカートリッジ。
【請求項２】
(ａ)  前記フィルタカートリッジ連動装置は、前記第２端部キャップの外側面（１０２、２１３、５０２、３１６）から延設される少なくとも第１歯部（１０６、２０６、５０６、３３２）と第２歯部（１０６、２０６、５０６、３３２）を含み、前記フィルタカートリッジが前記フィルタ容器に取り付けられて、前記フィルタ容器が前記フィルタヘッドから前記容器カートリッジ入りフィルタを取り外すために、前記第２方向に回転されるときに前記第１歯部と前記第２歯部とが前記フィルタ容器にそれぞれ噛み合うように配置されることを特徴とする請求項１に記載のフィルタカートリッジ。
【請求項３】
(ａ)  それぞれの前記第１歯部（１０６、２０６、３３２）と前記第２歯部（１０６、２０６、３３２）は、第１端側面と第２端側面（１１０、２０８、３３４、１１１、２０９、３３６）と、横側面（１２４、２１０、３３８）と、 かかと部（１１４、２１４、３４０）と足指部（１１８、２１２、３４２）とを含み、
(ｉ)  前記第１端側面と前記第２端側面とは、前記かかと部から前記足指部まで延設され、
（ｉｉ）前記横側面は、前記かかと部から前記足指部まで延設され、前記第１端側面と前記第２端側面のそれぞれで交差し、
（ｉｉｉ）そして、前記足指部は、少なくとも前記第１端側面から延設され前記第１端側面に対して傾斜した角度を有する第１斜面（１１２、２１７、３４４）を少なくとも含み、
（ｂ)  前記第１歯部と前記第２歯部のそれぞれの前記足指部は、前記第２端側面から延設され前記第２端側面（１１１、３３６）に対して傾斜した角度を有する第２斜面（１１３、３４６）をさらに含み、
（ｃ）前記第１歯部と前記第２歯部のそれぞれの前記第１斜面（１１２、３４４）は、前記第１歯部と前記第２歯部の第１端側面に相対して角度１０〜６０度で位置し、
（ｄ）そして、前記第１歯部と前記第２歯部のそれぞれの前記第２斜面（１１３、３４６）は、前記第１歯部と前記第２歯部の第２端側面に相対して角度１０〜６０度で位置することを特徴とする請求項２に記載のフィルタカートリッジ。
【請求項４】
容器カートリッジ入りフィルタ（２４）で好適に使用されるフィルタカートリッジ（３２、３０２）において、前記容器カートリッジ入りフィルタは、第１方向の回転によってフィルタヘッド（２２）に対して動作可能に装着され、反対の第２方向の回転によって前記フィルタヘッドから取り外され、前記容器カートリッジ入りフィルタは、フィルタ容器（３０、６３０、３０４）と、前記フィルタ容器に対する選択的な取り付けと取り外しのためのフィルタカートリッジ（３２、３０２）を含み、前記フィルタカートリッジは、    (ａ)  濾過媒体の延設部（４８、３０５）であって、前記延設部は、第１端部（８２）と反対の第２端部（８４）を有し、
(ｂ)  前記濾過媒体の前記延設部の前記第１端部に固定される第１端部キャップ（５０、３０６）と、
(ｃ)   前記濾過媒体の前記延設部の前記第２端部に固定される第２端部キャップ（５２、２００、５５２、３０８）であって、前記第２端部キャップは外側の周辺壁部（１３０、５３０、３１８）を含み、
（ｉ）前記第２端部キャップの前記外側の周辺壁部は、前記容器に好適に使用するために係合するフィルタカートリッジ連動装置（１００）を含み、前記フィルタカートリッジが前記フィルタ容器に取り付けられ、前記フィルタヘッドから前記容器カートリッジ入りフィルタを取り外すときに、前記フィルタ容器が前記第２方向に回転され、
（ｉｉ）前記外側の周辺壁部と前記フィルタカートリッジ連動装置は、前記濾過媒体を取り囲み、
(ｄ)  前記第２端部キャップは、環状部分（１３２、５３２、３２０）と端部壁（１３４、５３４、３２２）とを含み、
(ｉ)  前記端部壁（１３４、５３４，３２２）は、軸方向面（１２２、５２２、３２４）を規定し、
（ｉｉ）前記周囲壁（１３０、５３０、３１８）は、前記環状部分（１３２、５３２、３２０）を規定することを特徴とするフィルタカートリッジ。
【請求項５】
（ａ)  前記第１歯部と前記第２歯部（３３２）のそれぞれは、前記環状部分（３２０）から延設されることを特徴とする請求項４に記載のフィルタカートリッジ。
【請求項６】
(ａ)  前記第１歯部と前記第２歯部（１０６、２０６、５０６）のそれぞれは、前記軸方向面（１２２、５２２）から延設されることを特徴とする請求項４に記載のフィルタカートリッジ。
【請求項７】
(ａ)  前記濾過媒体の前記延設部は筒状であり、
(ｂ)  前記濾過媒体はセルロースを含み、
(ｃ) そして、前記濾過媒体は、ウレタンの充填により前記第１端部キャップと前記第２端部キャップに接着されることを特徴とする請求項１乃至６のいずれか１項に記載のフィルタカートリッジ。
【請求項８】
第１方向の回転によってフィルタヘッド（２２）に対して動作可能に装着され、反対の第２方向の回転によって前記フィルタヘッドから取り外される請求項１に記載のフィルタカートリッジ（３２、３０２）を具備する容器カートリッジ入りフィルタ構成であって、  (ａ)  内面（４６）を有するフィルタ容器（３０、６３０、３０４）であって、前記フィルタ容器は前記内面から延設されるフィルタ容器連動装置（１５０）を含み、
(ｉ)  前記フィルタ容器連動装置は、少なくとも第１歯部（１５４、６５４、３６０）を含み、
（Ａ）前記第１歯部は、端部側面（１５５、６６８、３７０）と、かかと部（１５８、６６２、３７３）と、傾斜面（１６０、６６０、３７５）とを含み、前記端部側面は、足指部（１５９、６６４、３７４）を含み、前記傾斜面は、少なくとも部分的に前記かかと部から前記足指部に延設され、前記傾斜面と相対的に斜めの角度を有し、そして、
(ｂ) 前記フィルタカートリッジ（３２、３０２）は、前記フィルタ容器（３０、６３０、３０４）から選択的に取り外しできるように動作可能に取り付けられ、
(ｉ)  前記容器カートリッジ入りフィルタを前記フィルタヘッドから取り外すために前記第２方向に回転されたときに、前記フィルタ連動装置（１００）は、前記フィルタ容器連動装置（１５０）の前記第１歯部に係合することを特徴とする容器カートリッジ入りフィルタ構成。
【請求項９】
(ａ)  前記フィルタカートリッジ連動装置（１００）は、前記第２端部キャップの外側面（１０２、２１３、５０２、３１６）から延設される第１歯部（１０６、２０６，５０６、３３２）を含み、
(ｉ)  前記容器カートリッジ入りフィルタが前記フィルタヘッドから前記容器カートリッジ入りフィルタを取り外すために前記第２方向に回転されるときに、前記フィルタカートリッジ連動装置の前記第１歯部は、前記フィルタ容器連動装置の前記第１歯部に係合することを特徴とする請求項８に記載の容器カートリッジ入りフィルタ構成。
【請求項１０】
フィルタヘッド（２２）に動作可能に装着される容器カートリッジ入りフィルタ（２４）を保守する方法であって、前記容器カートリッジ入りフィルタは、フィルタ容器（３０、６３０、３０４）と選択的に前記フィルタ容器から移動可能なカートリッジフィルタ（３２、３０２）とを含み、前記カートリッジフィルタは第１端部キャップと対向する第２端部キャップ（５０、３０６、５２、２００、５５２、３０８）の間の濾過媒体の延設部分（４８、３０５）を含み、前記容器カートリッジ入りフィルタを保守する方法は、
(ａ)  前記フィルタヘッド（２２）から前記フィルタ容器（３０、６３０、３０４）を取り外すために、前記フィルタヘッドに対して前記フィルタ容器を回転させる工程と、
(ｂ)  前記フィルタヘッドに対して前記フィルタ容器を回転するのと同時に、前記カートリッジフィルタ（３２、３０２）を前記フィルタヘッドから解除するために前記カートリッジフィルタを回転させる工程であって、
(ｉ)  同時にフィルタヘッドに対してフィルタカートリッジを回転させる前記工程は、前記フィルタ容器の第１端部キャップ（５０、３０６）と第２端部キャップ（５２、２００、５５２、３０８）の一方から延設される連動装置（１００）に対して前記フィルタ容器の連動装置（１５０）を回転の運動を得るように付勢し、
（Ａ）前記連動装置（１００）は、前記濾過媒体（４８、３０５）を取り囲む前記第１端部キャップと前記第２端部キャップの一方の上に配置されることを特徴とする方法。